(57)【特許請求の範囲】
【請求項１】
交換機全体の動作を制御する主制御装置と、交換動作制御プログラム、局データおよび複数のテーブルを記憶する記憶装置と、ＩＳＤＮの付加サービスであるＩ−ナンバー回線を収容する局線トランクと、前記内線端末を接続する内線トランクと、前記内線トランクと前記ＩＳＤＮの付加サービスであるＩ−ナンバー回線を収容する局線トランク間で通話路を形成する通話路スイッチと、を備えた構内交換機であって、
前記主制御装置は、前記Ｉ−ナンバー回線から通知される呼設定情報を解析してポート番号をダイヤルイン着信の着番号に変換し、処理することを特徴とする構内交換機。
【請求項２】
前記記憶装置は、前記ダイヤルイン着信の着番号を記憶する呼設定情報領域と、ポート番号を着番号に変換する変換テーブルを記憶する変換テーブル領域を備えたことを特徴とする請求項１記載の構内交換機。
【請求項３】
Ｉ−ナンバー回線から通知されるポート番号をダイヤルイン着信の着番号に変換し、処理する構内交換機の制御方法であって、
前記Ｉ−ナンバー回線から通知されるポート番号を含む呼設定情報を受信するステップと、
前記受信した呼設定情報のポート番号で、前記ポート番号に対応させダイヤルイン着信の着番号を変換用着番号として記憶する記憶手段を検索するステップと、
前記記憶手段に変換用着番号が設定されているか否かを判定するステップと、
前記判定するステップにおいて、当該変換用着番号が設定されている場合、当該設定された変換用着番号によるダイヤルイン着信の処理をし、内線端末の呼出処理を実行するステップと、
を備えたことを特徴とする構内交換機の制御方法。
【発明の詳細な説明】
【０００１】
【発明の属する技術分野】
本発明はＩＳＤＮの付加サービスであるＩ−ナンバー回線を収容可能な構内交換機に係り、特にＩ−ナンバー回線から通知されるポート番号をダイヤルイン着信の着番号に変換して内線端末の呼出しを行なう構内交換機およびその制御方法に関する。
【０００２】
【従来の技術】
ＩＳＤＮ（Integrated Service Digital Network）のＩＮＳネット６４の付加サービスとしてＩ−ナンバーがＮＴＴ殿から提供されており、Ｉ−ナンバー回線を介してサービスに対応したＴＡ（ターミナルアダプタ）に接続された電話機やファクシミリを利用する加入者に対して１回線につき「２番号」または「３番号」を割り当てるサービスである。
【０００３】
外線端末から「２番号」または「３番号」に対応した電話番号（例えば、「０３−○○○−××××−０００１」または「０３−○○○−××××−０００２」）をダイヤル発信すると、ＩＳＤＮで電話番号がＩ−ナンバー情報（例えば、ポート番号「１」またはポート番号「２」）に変換され、Ｉ−ナンバー回線からＴＡ（ターミナルアダプタ）を介して加入者の電話機やファクシミリに着信される。
【０００４】
一方、事業所の構内交換機に接続された複数の内線端末（電話機、ファクシミリ等）に対しても、複数の内線端末毎にそれぞれ着番号（電話番号）を割り当て、外線から直接呼び出すことができるダイヤルインサービスが提供されている。
【０００５】
【発明が解決しようとする課題】
Ｉ−ナンバーサービスを構内交換機の内線端末に利用しようとしても、構内交換機は、ＴＡ（ターミナルアダプタ）を介して接続されないため、Ｉ−ナンバー回線からのポート番号を受信することができず、Ｉ−ナンバーサービスを受けられない課題がある。
【０００６】
この発明はこのような課題を解決するためになされたもので、その目的はＩ−ナンバー回線から通知されるポート番号をダイヤルイン着信の着番号に変換して内線端末を呼び出すことができる利便性に優れた構内交換機およびその制御方法を提供することにある。
【０００７】
【課題を解決するための手段】
前記課題を解決するためこの発明に係る構内交換機は、交換機全体の動作を制御する主制御装置と、交換動作制御プログラム、局データおよび複数のテーブルを記憶する記憶装置と、ＩＳＤＮの付加サービスであるＩ−ナンバー回線を収容する局線トランクと、内線端末を接続する内線トランクと、内線トランクとＩＳＤＮの付加サービスであるＩ−ナンバー回線を収容する局線トランク間で通話路を形成する通話路スイッチと、を備えた構内交換機であって、主制御装置は、Ｉ−ナンバー回線から通知される呼設定情報を解析してポート番号をダイヤルイン着信の着番号に変換し、処理することを特徴とする。
【０００８】
この発明に係る構内交換機の主制御装置は、Ｉ−ナンバー回線から通知される呼設定情報を解析してポート番号をダイヤルイン着信の着番号に変換し、処理するので、Ｉ−ナンバー回線のポート番号をダイヤルイン着信の着番号に変更してダイヤルイン着信の着番号で割り当てられた内線端末を呼び出すことができ、Ｉ−ナンバーサービスを有効に利用して利便性の向上を図ることができる。
【０００９】
また、この発明に係る記憶装置は、ダイヤルイン着信の着番号を記憶する呼設定情報領域と、ポート番号を着番号に変換する変換テーブルを記憶する変換テーブル領域を備えたことを特徴とする。
【００１０】
この発明に係る記憶装置は、ダイヤルイン着信の着番号を記憶する呼設定情報領域と、ポート番号を着番号に変換する変換テーブルを記憶する変換テーブル領域を備えたので、Ｉ−ナンバー回線から通知されるポート番号をダイヤルイン着信の着番号に容易に変換し、ダイヤルイン着信機能を用いて内線端末を呼び出すことができ、変換テーブルのソフト処理という単純な構成でＩナンバーサービスを利用することができる。
【００１１】
さらに、この発明に係る構内交換機の制御方法は、Ｉ−ナンバー回線から通知されるポート番号をダイヤルイン着信の着番号に変換し、処理する構内交換機の制御方法であって、前記Ｉ−ナンバー回線から通知されるポート番号を含む呼設定情報を受信するステップと、前記受信した呼設定情報のポート番号で、前記ポート番号に対応させダイヤルイン着信の着番号を変換用着番号として記憶する記憶手段を検索するステップと、前記記憶手段に変換用着番号が設定されているか否かを判定するステップと、前記判定するステップにおいて、当該変換用着番号が設定されている場合、当該設定された変換用着番号によるダイヤルイン着信の処理をし、内線端末の呼出処理を実行するステップとを備えたことを特徴とする。
【００１２】
この発明に係る構内交換機の制御方法は、Ｉ−ナンバー回線から通知されるポート番号をダイヤルイン着信の着番号に変換し、処理する構内交換機の制御方法であって、前記Ｉ−ナンバー回線から通知されるポート番号を含む呼設定情報を受信するステップと、前記受信した呼設定情報のポート番号で、前記ポート番号に対応させダイヤルイン着信の着番号を変換用着番号として記憶する記憶手段を検索するステップと、前記記憶手段に変換用着番号が設定されているか否かを判定するステップと、前記判定するステップにおいて、当該変換用着番号が設定されている場合、当該設定された変換用着番号によるダイヤルイン着信の処理をし、内線端末の呼出処理を実行するステップとを備えたので、Ｉ−ナンバー回線のポート番号をダイヤルイン着信の着番号に変更してダイヤルイン着信の着番号が割り当てられた内線端末を呼び出すことができ、Ｉ−ナンバーサービスを有効に利用して利便性の向上を図ることができる。
【００１３】
【発明の実施の形態】
以下、この発明の実施の形態を添付図面に基づいて説明する。なお、本発明はＩナンバーサービスを利用できない内線端末に対して、Ｉナンバー回線から通知されるポート番号をダイヤルイン着信の着番号に変換し、ダイヤルイン着信機能により変換した着番号で構内交換機から内線端末を呼び出すものである。
【００１４】
図１はこの発明に係る構内交換機の実施の形態基本ブロック構成図である。図１において、構内交換機１は、内線端末である内線電話機ＴＥＬ1〜ＴＥＬnと、ＩＳＤＮ（Integrated Service Digital Network：総合サービスディジタル網）の間で通話路を形成する通話路スイッチ２と、構内交換機１全体の動作を制御する主制御装置３と、交換動作制御プログラム、局データおよび複数のテーブルを記憶する記憶装置４と、ＩＳＤＮの付加サービスであるＩ−ナンバー回線ＬＩNを収容する局線トランクＧＴ1や局線Ｌ1〜ＬKを収容する局線トランクＧＴ2〜ＧＴlと、内線端末である内線電話機ＴＥＬ1〜ＴＥＬnを接続する内線トランクＩＴ1〜ＩＴnとを備える。なお、通話路スイッチ２、主制御装置３、記憶装置４は内部バスＢＳを介して接続する。
【００１５】
また、内線電話機ＴＥＬ1〜ＴＥＬnは、内線Ｌｒ1〜Ｌｒnを介して内線トランクＩＴ1〜ＩＴnに接続され、ＩＳＤＮには、加入電話機ＴＥＬが接続される。
【００１６】
Ｉ−ナンバー回線ＬＩNは、Ｉ−ナンバーサービスの「３番号」を持ち、この「３番号」に対応する電話番号（着番号）が内線電話機ＴＥＬ1〜ＴＥＬ3に割り当てられるものとして説明する。
【００１７】
通話路スイッチ２は、時分割スイッチ等を形成し、主制御装置３の制御により、内線トランクＩＴ1〜ＩＴn相互間を接続して通話路を形成し、内線電話機ＴＥＬ1〜ＴＥＬn間の内線通話を実行させる。
【００１８】
また、通話路スイッチ２は、主制御装置３の制御により、内線トランクＩＴ1〜ＩＴ3と局線トランクＧＴ1を接続して通話路を形成し、Ｉ−ナンバー回線ＬＩNと内線電話機ＴＥＬ1〜ＴＥＬ3のＩ−ナンバーサービスにおける外線通話を実行させるとともに、内線トランクＩＴ4〜ＩＴnと局線トランクＧＴ2〜ＧＴlを接続して通話路を形成し、局線Ｌ1〜Ｌkと内線電話機ＴＥＬ4〜ＴＥＬnの外線通話を実行させる。
【００１９】
主制御装置３は、マイクロプロセッサを基本に各種処理機能、シーケンス機能を備え、通話路スイッチ２、内線トランクＩＴ1〜ＩＴn、局線トランクＧＴ1〜ＧＴlの動作を制御する。
【００２０】
また、主制御装置３は、局線トランクＧＴ1から通知されるＩ−ナンバー回線ＬＩNの呼設定情報を解析し、記憶装置４に記憶された呼設定情報領域のダイヤルイン着信のメッセージデータおよび変換データ領域の変換データを読み出してＩ−ナンバー回線ＬＩNのポート番号をダイヤルイン着信の着番号に変換し、変換した着番号に該当する内線電話機ＴＥＬ1〜ＴＥＬ3を収容する内線トランクＩＴ1〜ＩＴ3を制御し、内線トランクＩＴ1〜ＩＴ3から内線電話機ＴＥＬ1〜ＴＥＬ3を呼び出すようにする。
【００２１】
さらに、主制御装置３は、ダイヤルイン着信サービスを受けている場合、局線Ｌ1〜Ｌkから局線トランクＧＴ2〜ＧＴlが受信して通知される着番号を解析し、記憶装置４に記憶された呼設定情報領域のダイヤルイン着信のメッセージデータを読み出して着番号に該当する内線電話機ＴＥＬ4〜ＴＥＬnを収容する内線トランクＩＴ4〜ＩＴnを制御し、内線トランクＩＴ4〜ＩＴnから内線電話機ＴＥＬ4〜ＴＥＬnを呼び出すようにする。
【００２２】
記憶装置４は、ＲＯＭ等の固定メモリ、ＲＡＭ、ＥＥＰＲＯＭ、フラッシュメモリ（ＦＭ）等の書換え可能なメモリで構成し、構内交換機１の動作に必要な内線側および外線側の各種データ、プログラムを格納し、制御装置３の動作をサポートするとともに、制御装置３の指令により各種データを提供する。
【００２３】
また、記憶装置４は、呼設定情報領域および変換テーブル領域を備える。図３は、この発明に係る記憶装置のメモリ領域イメージ図である。図３において、記憶装置４は、ダイヤルイン着信の着番号を記憶する呼設定情報領域５と、Ｉ−ナンバー回線ＬＩNの呼設定情報に含まれるポート番号を着番号に変換する変換テーブルを記憶する変換テーブル領域６を備え、主制御装置３の制御により、ポート番号から着番号を特定するサポートを実行する。
【００２４】
図２はこの発明に係る構内交換機を含む系のシーケンス図である。図２において、加入電話機ＴＥＬからＩ−ナンバー用の回線番号（例えば、「０３−○○○−××××−０００１」）がダイヤル発信されると、ＩＳＤＮ（Integrated Service Digital Network）内でＩ−ナンバー用の回線番号（例えば、「０３−○○○−××××−０００１」）をポート番号（例えば、「１」）に変換し、変換したポート番号を含む呼設定情報を設定する。
【００２５】
続いて、ＩＳＤＮ（Integrated Service Digital Network）は、設定した呼設定情報をＩ−ナンバー回線ＬＩNを介して構内交換機１の局線トランクＧＴ1に通知すると、局線トランクＧＴ1が通知された呼設定情報を主制御装置３に通知する。
【００２６】
主制御装置３は、呼設定情報に含まれるポート番号（例えば、「１」）を解析し、ポート番号（例えば、「１」）をダイヤルイン着信の着番号（例えば、「０３−○○○−×××△−０００１」）に変換し、着番号に該当する内線電話機ＴＥＬ1に呼出し情報を送出させて接続することにより、加入電話機ＴＥＬと構内交換機１に収容した内線電話機ＴＥＬ1がＩ−ナンバーサービスを利用して通話することができる。
【００２７】
次に、Ｉ−ナンバー着信の呼設定情報、図３に示す呼設定情報領域５に格納されたダイヤルイン着信のメセージデータ、変換テーブル領域６に格納された変換データについて説明する
【００２８】
図４は呼設定情報の構成図である。図４において、呼設定情報１０は、Ｉ−ナンバー着信時のメッセージ構成であり、ファシリティ情報要素１１にポート番号１２（例えば、「１」）が記述されている。
【００２９】
図５はダイヤルイン着信のメッセージデータの構成図である。図５において、ダイヤルイン着信のメッセージデータ２０には、着番号情報要素２１が含まれており、着番号情報要素２１の内容を解析することにより、着番号２２（例えば、「０３−○○○−×××△−０００１」）を検索することができ、内線電話機ＴＥＬ1に接続し、通話が可能となる。
【００３０】
図６はこの発明に係る変換データの構成図である。図６において、変換データ３０は、Ｉ−ナンバー用のポート番号１２（例えば、「１」）をダイヤルイン着信の着番号２２（例えば、「０３−○○○−×××△−０００１」）に変換するデータ構成全体を表わす。
【００３１】
識別情報３１は、局トランクＧＴ1の識別情報が記述されており、着信情報３２には、局トランクＧＴ1の識別情報３１に対応したポート番号（例えば、「１」）が記述され、変換用着番号３３には、着信情報３２（ポート番号「１」）に対応した変換用着番号（例えば、「０３−○○○−×××△−０００１」）が記述されている。
【００３２】
また、変換データ３０は、局トランクＧＴ1の識別情報３１、着信情報３２（ポート番号「１」）、着信情報３２（ポート番号「１」）に対応した変換用着番号３３（例えば、「０３−○○○−×××△−０００１」）を１ブロックとし、複数ブロックから構成され、運用条件等によって自由に書換え可能であり、複数のＩ−ナンバー回線を収容する場合には、局線トランク毎に着信情報（ポート番号）で変換用着番号を任意に決定することができる。
【００３３】
このように、この発明に係る構内交換機１の主制御装置３は、Ｉ−ナンバー回線ＬＩNから通知される呼設定情報１０を解析してポート番号１２をダイヤルイン着信の着番号２２に変換し、処理するので、Ｉ−ナンバー回線ＬＩNのポート番号１２（例えば、「１」）をダイヤルイン着信の着番号２２に変更してダイヤルイン着信の着番号２２（例えば、「０３−○○○−×××△−０００１」）で割り当てられた内線端末ＴＥＬ1を呼び出すことができ、Ｉ−ナンバーサービスを有効に利用して利便性の向上を図ることができる。
【００３４】
また、この発明に係る記憶装置４は、ダイヤルイン着信の着番号２２を記憶する呼設定情報領域５と、ポート番号１２を着番号２２に変換する変換テーブルを記憶する変換テーブル領域６を備えたので、Ｉ−ナンバー回線ＬＩNから通知されるポート番号１２をダイヤルイン着信の着番号２２に容易に変換し、ダイヤルイン着信機能を用いて内線端末（例えば、内線電話機ＴＥＬ1）を呼び出すことができ、変換テーブルのソフト処理という単純な構成でＩナンバーサービスを利用することができる。
【００３５】
次に、Ｉ−ナンバー用ポート番号をダイヤルイン着信の着番号に変換して接続する構内交換機の制御方法について説明する。図７はこの発明に係る構内交換機の制御方法の一実施の形態要部動作フロー図である。
【００３６】
ステップＳ１では、変換データ３０内の識別情報３１を受信した呼設定情報１０のポート番号１２で検索し、変換用着番号３３を抽出する。なお、ステップＳ１の動作は、局線トランクＧＴ1、主制御装置３および記憶装置４が実行する。
【００３７】
ステップＳ２では、抽出した変換用着番号３３が設定されているか否かを判定し、変換用着番号３３が設定されている場合にはステップＳ３に移行する。一方、変換用着番号３３が設定されていない場合にはステップＳ６に移行する。なお、ステップＳ２の動作は、主制御装置３が実行する。
【００３８】
ステップＳ３では、受信した呼設定情報１０のファシリティ情報要素１１を削除する。なお、ステップＳ３の動作は、主制御装置３が実行する。
【００３９】
ステップＳ４では、変換用着番号３３に基づいて着番号情報要素２１に編集する。なお、ステップＳ４の動作は、主制御装置３および記憶装置４が実行する。
【００４０】
ステップＳ５では、ダイヤルイン着信の処理をし、内線端末（例えば、内線電話機ＴＥＬ1〜ＴＥＬ3）の呼出処理を実行する。なお、ステップＳ５の動作は、主制御装置３、内線トランクＩＴ1〜ＩＴ3が実行する。
【００４１】
ステップＳ６では、例えば、ダイヤルイン着信処理を実行する。なお、ステップＳ６の動作は、主制御装置３が実行する。
【００４２】
このように、この発明に係る構内交換機の制御方法は、変換データ３０内の識別情報３１を受信した呼設定情報１０のポート番号１２で検索し、変換用着番号３３を抽出するステップＳ１と、抽出した変換用着番号３３が設定されているか否かを判定するステップＳ２と、登録されている場合には受信した呼設定情報１０のファシリティ情報要素１１を削除するステップＳ３と、変換用着番号３３に基づいて着番号情報要素２１に編集するステップＳ４と、ダイヤルイン着信の処理をし、内線端末（例えば、内線電話機ＴＥＬ1〜ＴＥＬ3）の呼出処理を実行するステップＳ５とを備えたので、Ｉ−ナンバー回線のポート番号１２をダイヤルイン着信の着番号に変更してダイヤルイン着信の着番号が割り当てられた内線端末を呼び出すことができ、Ｉ−ナンバーサービスを有効に利用して利便性の向上を図ることができる。
【００４３】
なお、本実施の形態では、Ｉ−ナンバー回線ＬＩNの１回線、対応する内線電話機ＴＥＬ1〜ＴＥＬ3で説明したが、Ｉ−ナンバー回線を複数回線、対応する内線電話機も３台の複数倍としてもよい。
【００４４】
【発明の効果】
以上説明したように、この発明に係る構内交換機の主制御装置は、Ｉ−ナンバー回線から通知される呼設定情報を解析してポート番号をダイヤルイン着信の着番号に変換し、処理するので、Ｉ−ナンバー回線のポート番号をダイヤルイン着信の着番号に変更してダイヤルイン着信の着番号で割り当てられた内線端末を呼び出すことができ、Ｉ−ナンバーサービスを有効に利用して利便性の向上を図ることができる。
【００４５】
また、この発明に係る記憶装置は、ダイヤルイン着信の着番号を記憶する呼設定情報領域と、ポート番号を着番号に変換する変換テーブルを記憶する変換テーブル領域を備えたので、Ｉ−ナンバー回線から通知されるポート番号をダイヤルイン着信の着番号に容易に変換し、ダイヤルイン着信機能を用いて内線端末を呼び出すことができ、変換テーブルのソフト処理という単純な構成でＩナンバーサービスを利用することができる。
【００４６】
さらに、この発明に係る構内交換機の制御方法は、Ｉ−ナンバー回線から通知されるポート番号をダイヤルイン着信の着番号に変換し、処理する構内交換機の制御方法であって、前記Ｉ−ナンバー回線から通知されるポート番号を含む呼設定情報を受信するステップと、前記受信した呼設定情報のポート番号で、前記ポート番号に対応させダイヤルイン着信の着番号を変換用着番号として記憶する記憶手段を検索するステップと、前記記憶手段に変換用着番号が設定されているか否かを判定するステップと、前記判定するステップにおいて、当該変換用着番号が設定されている場合、当該設定された変換用着番号によるダイヤルイン着信の処理をし、内線端末の呼出処理を実行するステップとを備えたので、Ｉ−ナンバー回線のポート番号をダイヤルイン着信の着番号に変更してダイヤルイン着信の着番号が割り当てられた内線端末を呼び出すことができ、Ｉ−ナンバーサービスを有効に利用して利便性の向上を図ることができる。
【図面の簡単な説明】
【図１】この発明に係る構内交換機の実施の形態ブロック構成図
【図２】この発明に係る構内交換機を含む系のシーケンス図
【図３】この発明に係る記憶装置のメモリ領域イメージ図
【図４】呼設定情報の構成図
【図５】ダイヤルイン着信のメッセージデータの構成図
【図６】この発明に係る変換データの構成図
【図７】この発明に係る構内交換機の制御方法の一実施の形態要部動作フロー図
【符号の説明】
１  構内交換機
２  通話路スイッチ
３  主制御装置
４  記憶装置
５  呼設定情報領域
６  変換テーブル領域
１０  呼設定情報
１１  ファシリティ情報要素
１２  ポート番号
２０  ダイヤルイン着信のメッセージデータ
２１  着番号情報要素
２２  着番号
３０  変換データ
３１  識別情報：局線トランクＧT1の
３２  着信番号（ポート番号）：識別情報３１対応の
３３  変換用着番号：ポート番号３２対応の
ＴＥＬ1〜ＴＥＬn  内線電話機
ＴＥＬ  加入電話機
ＩＴ1〜ＩＴn  内線トランク
ＧＴ1〜ＧＴl  外線トランク
ＬＩn  Ｉ−ナンバー回線
Ｌ1〜Ｌk  局線
Ｌｒ1〜Ｌn  内線
ＢＳ  内部バス
【図１】
0003942417.tif 000002
【図２】
0003942417.tif 000003
【図３】
0003942417.tif 000004
【図４】
0003942417.tif 000005
【図５】
0003942417.tif 000006
【図６】
0003942417.tif 000007
【図７】
0003942417.tif 000008